(57)【要約】【課題】網場の浮体に漂着している塵芥を取り除くことを容易にする。【解決手段】複数の浮体３０を連結した網場本体２０を水面６１に浮かべた網場１０において、一対の支柱４１、４２を設け、網場本体２０の両端部を一対の支柱４１、４２間に昇降可能に張設し、網場本体２０の一方の端部を昇降させる昇降手段５０を備えている。昇降手段５０においては、網場本体２０の一方の端部に滑車５４を取付け、滑車５４にウインチ側ロープ５２をかけ、ウインチ側ロープ５２の一端部側をウインチ５１で巻上げおよび巻下げ可能にし、ウインチ側ロープ５２の他端部に輪状部５３を設け、輪状部５３に着脱可能なフック５７を常時上方に引っ張ることができるバランサ５５を配置し、ウインチ５１によりウインチ側ロープ５２を巻上げるときには、輪状部５３を一時的に所定の位置に係止する。【選択図】　　　　図１
2004100169.tif 000002
【特許請求の範囲】
【請求項１】
複数の浮体を連結した網場本体を水面に浮かべた網場において、
一対の支柱を設け、前記網場本体の両端部を前記一対の支柱間に対し昇降可能に張設し、
前記網場本体の少なくとも一方の端部を昇降させる昇降手段を備えていることを特徴とする網場。
【請求項２】
請求項１記載の網場において、
前記昇降手段が、前記網場本体の一方の端部に連結されたロープと、このロープを巻上げおよび巻下げするウインチとを備えていることを特徴とする網場。
【請求項３】
請求項１記載の網場において、
前記網場本体の一方の端部に滑車を取付け、前記滑車にロープをかけ、前記ロープの一端部側をウインチで巻上げおよび巻下げ可能にし、前記ロープの他端部を引張り手段で上方に引張ることができるようにし、
前記ロープのうち前記滑車と前記引張り手段との間の部分を一時的に所定の位置に係止することができるようにしたことを特徴とする網場。
【発明の詳細な説明】
【０００１】
【発明の属する技術分野】
本発明は、河川等に設けられた水取口スクリーンに流木等の塵芥が溜まることを防ぐ網場に関し、特に網場に漂着した塵芥を取り除くことが容易な網場に関するものである。
【０００２】
【従来の技術】
従来この種の網場は、複数の浮体（フロート）を連結し、河川等の水面に浮かべた構成のものである。上流から流れてきた木等の塵芥が網場の複数の浮体に漂着して、網場の下流に流れなくなるので、網場の下流に設置されている取水口スクリーンに流木等が衝突することを防ぐとともに、取水口に付設された除塵機の除塵能力を超える塵芥が漂着して取水口を塞いでしまうことを防ぐことができる（特許文献１参照）。
【０００３】
【特許文献１】
特開２００２−２１０５５号公報（第３頁、第１―２図、第６図）
【０００４】
【発明が解決しようとする課題】
しかし、上述の従来の網場は、その複数の浮体が常に水面に浮かんでいるので、複数の浮体に漂着している流木等の塵芥を取り除くことが容易ではなかった。すなわち、前記浮体上に乗った作業者の手作業により前記浮体に漂着している塵芥を取り除いて網場の下流の取水口に流し、取水口スクリーンに流れ付いた塵芥を取水口に付設された除塵機により掻き揚げていた。しかし、前記浮体上に乗った作業者の手作業により塵芥を前記浮体から除去して網場の下流に流すことは、危険で能率が悪いものであった。
そこで、本発明が解決しようとする課題は、網場の複数の浮体に漂着している塵芥を容易に取り除くことができる網場を提供することである。
【０００５】
【課題を解決するための手段】
上記課題を解決するため、請求項１記載の発明は、複数の浮体を連結した網場本体を水面に浮かべた網場において、一対の支柱を設け、前記網場本体の両端部を前記一対の支柱に対し昇降可能に張設し、前記網場本体の少なくとも一方の端部を昇降させる昇降手段を備えていることである。
これにより、通常は、網場の浮体が河川等の網場を設けた位置の水位に沿って昇降可能であり、昇降手段が網場本体の少なくとも一方の端部を持上げると、持上げた部分の浮体が水面から上方に離れるので、この浮体に漂着している塵芥が網場の浮体から離れて下流に流れる。
【０００６】
さらに、請求項２記載の発明は、請求項１記載の発明において、前記昇降手段が、前記網場本体の一方の端部に連結（直接または滑車等を介して連結）されたロープと、このロープを巻上げおよび巻下げするウインチとを備えていることである。
これにより、ウインチが前記ロープを巻上げおよび巻下げすることにより、容易に前記網場本体の一方の端部を昇降させることができる。
【０００７】
さらに、請求項３記載の発明は、請求項１記載の網場において、前記網場本体の一方の端部に滑車を取付け、前記滑車にロープをかけ、前記ロープの一端部側をウインチで巻上げおよび巻下げ可能にし、前記ロープの他端部を引張り手段で上方に引張ることができるようにし、前記ロープのうち前記滑車と前記引張り手段との間の部分を一時的に所定の位置に係止することができるようにしたことである。
これにより、前記網場本体の一方の端部に滑車を取付け、前記滑車にロープをかけ、前記ロープの一端部側をウインチで巻上げおよび巻下げ可能にし、前記ロープの他端部を引張り手段で上方に引張ることができるようにしているので、網場が設置されている位置の水位が昇降しても、前記ロープが弛むことを防ぐことができる。そして、前記ロープのうち前記滑車と前記引張り手段との間の部分を一時的に所定の位置に係止し、前記ロープの前記一端部側を前記ウインチで巻上げおよび巻下げすることにより、前記網場本体の一方の端部を昇降させることができる。
【０００８】
【発明の実施の形態】
以下、本発明における実施の形態を図面に基づいて説明する。図１は、本発明の実施の形態に係わる網場の正面を示し、図２は、図１の網場の浮体のＩＩ−ＩＩ断面を示す。
図１において、網場１０は、網場本体２０、一対の支柱４１、４２、ウインチ５１、バランサ５５等を備えている。
【０００９】
一対の支柱４１、４２は河川の両縁に対向して設置されている。網場本体２０の両端部は、一対の支柱４１、４２間に装設されている。すなわち、支柱４１、４２には、スライダ４３、４４がそれぞれ上下方向に昇降可能に設けられ、このスライダ４３、４４に対して、網場本体２０の両端部がそれぞれ連結されている。網場本体２０は、複数の浮体３０をワイヤロープ２１で連結したものであり、河川の水面６１に浮かんでいる。この網場本体２０の図示左右方向の長さは、網場１０を設置する河川の幅に相当するので、河川の幅が異なると、網場本体２０の図示左右方向の長さが変わり、その浮体３０の数が変わる。
【００１０】
図２は、浮体３０のＩＩ−ＩＩ断面を示す。図２において、浮体３０は矩形状のフレーム３１、２個の硬質ポリエチレン管３２およびポリウレタン３３を備えている。２個の硬質ポリエチレン管３２はフレーム３１内に互いに隣接して配置され、ポリウレタン３３は各硬質ポリエチレン管３２の中に充填されている。ポリウレタン３３は、発泡体であるので、水より軽い。このため、浮体３０は、全体としてその比重が水よりも軽くて、水に浮く。二点鎖線で示す水面６１は、浮体３０を水に浮かべた状態の水位を示す。なお、フレーム３１の下部にネット吊下げ部３４が形成され、ネット３５がネット吊下げ部３４に吊下げされている。さらに、錘（例えばワイヤロープ）３６がネット３５の下端部に取付けられている。この錘３６により、ネット３５が確実に垂れ下がる。このネット３５により、水面６１近くに水没している塵芥が下流に流れることも防止できる。
また、フレーム３１の両側面には、２本のワイヤロープ２１のそれぞれが、金具３７を介して取付けられている。
【００１１】
図１において、昇降手段５０は、ウインチ５１、ウインチ側ロープ５２（ワイヤロープを含む。）、滑車５４、バランサ５５、バランサ側ロープ５６等を備えている。
架台５８が支柱４１の近傍に図示しない支柱で支えられ、この架台５８に、ウインチ５１およびバランサ５５が取付けられている。バランサ５５は請求項３における「引張り手段」である。
一方のスライダ４３の上端部には、滑車５４が取付けられている。この滑車５４に巻回されたウインチ側ロープ５２は、その一端部側をウインチ５１の図示しないドラムにより巻上げおよび巻下げされる。ウインチ側ロープ５２の他端部には、輪状部５３が形成されている。
【００１２】
バランサ側ロープ５６は、その一端部側がバランサ５５に巻き取られるように配置され、その他端部にフック５７が取付けられている。前記輪状部５３がフック５７に着脱自在に係止されている。
バランサ５５がその内蔵するバネによりバランサ側ロープ５６を巻き取るように付勢されているので、ウインチ側ロープ５２は、常時バランサ５５により上方に引張られている。このため、河川の水面６１が上下に変動し、スライダ４３が水面６１の変動に追従して昇降しても、ウインチ側ロープ５２の弛みは発生しないので、ウインチ側ロープ５２の巻上げの動作不良を防止できる。
【００１３】
ウインチ５１は、ウインチ側ロープ５２が伸びっぱなしにならないように、常時ロックされた状態にあるので、網場本体２０のスライダ４３側を吊り上げる場合には、ウインチ５１のロックを解除し、ウインチ側ロープ５２を弛ませる。そのとき、バランサ５５の上記機能によりフック５７が上昇する。その後、ウインチ側ロープ５２のうち滑車５４とバランサ５５との間の部分を一時的に所定の位置に係止する。例えば、ウインチ側ロープ５２の輪状部５３をフック５７から外して（または、輪状部５３とフック５７を係止したまま）、輪状部５３を架台５８に付設されたフック５９に係止する。
そして、ウインチ５１によりウインチ側ロープ５２を巻上げると、スライダ４３が支柱４１に沿って上昇するので、二点鎖線で示すように、網場本体２０のスライダ４３側部分が上昇して水面６１から離れる。
【００１４】
この場合、網場本体２０が複数の浮体３０をワイヤロープ２１で連結したものであるので、網場本体２０が上下方向に湾曲した状態で網場本体２０の一方の端部を上昇させることができる。このため、網場本体２０の全体を上昇させる必要がないので、網場本体２０の全体を上昇させる場合よりも、ウインチ５１に必要とされる動力を少なくすることができ、昇降手段５０を簡素化できる。なお、網場本体２０は、水面６１の流れにより下流側に弓状に湾曲した状態で設置されているので、網場本体２０の一方の端部を昇降させるときに、網場本体２０は、その図示横方向の長さが柔軟に伸縮可能である。
【００１５】
このとき、網場１０の上流から流れてきて網場１０の網場本体２０に漂着した流木等の塵芥は、持上げられた網場本体２０と水面６１との間を通過して下流に流れて、図示しない取水口スクリーンに付着し、取水口の図示しない除塵機で除かれるので、網場本体２０に漂着した塵芥を人力で取り除く作業は不要となる。このため、網場本体２０の浮体３０に付着した塵芥の除去作業を浮体３０上でする必要がないので、作業者が浮体３０上へ乗ることや水上の危険作業をすることを回避できる。さらに、浮体３０上に作業者が乗る必要がなくなるので、浮体３０の構造の小型化・軽量化を図ることができ、全体としてコストダウンを図ることができる。
巻上げ用ロープ、すなわちウインチ側ロープ５２とバランサ側ロープ５６の引張り強度は、バランサ側ロープ５６をウインチ側ロープ５２よりも弱く設定しておくことが望ましい。何らかの要因で網場１０が水面６１の上下方向の変動に追従できない場合（例えば網場本体２０が沈んだ場合）ウインチ側ロープ５２が先に切断することにより、昇降手段５０のウインチ５１の破損を防ぐことができる。バランサ側ロープ５６としては、例えばビニールホース等を用いることができる。
【００１６】
なお、上記実施の形態において、昇降手段が網場本体の一方の端部を昇降しているが、これに限定されず、昇降手段が網場本体の両方の端部を昇降させるようにしてもよい。また、バランサが使用されているが、これに限定されることなく、巻上げ用ロープを常時引張ることができるものであればよい。
また、網場の設置個所は、河川の水面に限らず、ダム湖の水面等でもよい。また、網場本体が河川等の流れの水面を完全に横切るようにする必要はなく、河川等の流れの水面の一部分を横切るようにしてもよい。
【００１７】
【発明の効果】
請求項１記載の発明によれば、網場の浮体に漂着している塵芥を取り除くことが容易になるとともに、作業者の手作業により網場の浮体に漂着している塵芥を除去する必要がなくなる。
さらに、請求項２記載の発明によれば、上記請求項１記載の発明の効果とともに、網場本体の一方の端部を昇降させることが容易になる。
さらに、請求項３記載の発明によれば、上記請求項１記載の発明の効果とともに、網場が設置されている水面が昇降しても、網場本体を昇降させるロープが弛むことを防ぐことができ、網場本体の一方の端部を円滑に昇降させることができる。
【図面の簡単な説明】
【図１】本発明の実施の形態に係る網場の正面を示す正面図である。
【図２】図１の網場の浮体のＩＩ−ＩＩ断面を示す断面図である。
【符号の説明】
１０　網場
２０　網場本体
３０　浮体
４１、４２　支柱
４３、４４　スライダ
５０　昇降手段
５１　ウインチ
５２　ウインチ側ロープ
５３　輪状部
５４　滑車
５７　フック
５９　フック
５５　バランサ（引張り手段）
６１　水面
【図１】
2004100169.tif 000003
【図２】
2004100169.tif 000004